(57)【要約】【課題】 従来工程では、ＲＩＰ処理後は、画像編集ソフトの起動、切り出し範囲の選択および指定、新規画像ファイルとしての保存など、すべて手作業で行なうことになるため、処理能力の面で限界があった。本発明はこのような従来工程の問題を考慮してなされたものであって、デジタル製版データの再利用をより効率的に行なうためのＤＴＰ編集装置を提供することを課題とする。【解決手段】  ＤＴＰ編集ソフトウエアにより編集作成されたデータファイルに対して、版面上の領域を１つ以上指定する領域指定手段と、指定された領域との位置関係に基づいて、前記データファイルに含まれるオブジェクトを抽出して、抽出基準となった領域ごとに別ファイルとして出力する切り出し手段と、を備えたＤＴＰ編集装置により上記課題を解決する。【選択図】      図１５
2005165985.tif 000002
【特許請求の範囲】
【請求項１】
ＤＴＰ編集ソフトウエアにより編集作成されたデータファイルに対して、抽出処理の基準とする版面上の領域を１つ以上指定する手段と、この指定された領域との位置関係に基づいて、前記データファイルに記述されているオブジェクトを抽出して、抽出処理の基準となった領域ごとに別ファイルとして出力する手段と、を備えたＤＴＰ編集装置 。
【請求項２】
出力されるファイルがＥＰＳファイルであることを特徴とする請求項１に記載のＤＴＰ編集装置 。
【請求項３】
指定した版面上の領域により、データファイルに含まれるオブジェクトを抽出する際の、抽出処理の基準として下記３通りのモードを選択することが可能であることを特徴とする請求項１に記載のＤＴＰ編集装置。
（１）設定した版面上の領域に完全に含まれるオブジェクトだけを抽出するモード
（２）設定した版面上の領域と重なりのあるオブジェクトをすべて抽出するモード
（３）設定した版面上の領域に完全に含まれるオブジェクトと、設定した版面上の領域と      重なりのあるオブジェクトについて、その重なり部分を切り取って抽出するモード      
【請求項４】
抽出したオブジェクトデータを別ファイルとして出力する際の出力ファイルのファイル名の一部として使用するキーコード文字列を、抽出したオブジェクトデータから抽出するための条件を設定する手段を備えていることを特徴とする請求項１に記載のＤＴＰ編集装置 。
【請求項５】
ＤＴＰ編集ソフトウエアをインストールしたコンピュータを請求項１から請求項４に記載のＤＴＰ編集装置として動作させる一連の命令を記述した、ＤＴＰ編集ソフトウエアにプラグインとして組み込んで使用するコンピュータプログラム。
【発明の詳細な説明】
【技術分野】
【０００１】
本発明は全てデジタルデータで制作された印刷製版データについて、領域指定機能およびデータ切り出し機能を備えたＤＴＰ編集装置に関する。
【背景技術】
【０００２】
ＤＴＰの普及により印刷製版をすべてデジタルデータで進行することが普通に行なわれるようになってきた。一方でＷＷＷ技術を利用してインターネットで業務を進めることも珍しくなくなってきた。そのような背景からフルデジタル工程で制作した印刷メディア（紙媒体）用の印刷製版データをＷｅｂページやＣＤ−ＲＯＭの内容として再利用することの必要性が増している。特に、商品カタログ等の完成した印刷製版データについては、商品スペックを表示した小区画部分毎にデータを切り出して、ＣＤ−ＲＯＭやインターネットで公開するなど、印刷媒体と同じ体裁で他メディアへ再利用したいことがある。また、そのような再利用に備えて、商品単位毎に印刷製版データを分割して保存管理することがある。
【０００３】
商品スペックを表示した小区画部分（これを「商品小組」または単に「小組」と呼ぶ）を複数配置してチラシやカタログの一面を構成するレイアウトは商業印刷物でよく用いられる。こうして編集された商品小組は、顧客にアピールすべき商品の情報を必要十分にコンパクトにまとめたコンテンツデータであるため、一度作成すれば、利用価値が高い。したがって、商品小組を効率的に作成することに主眼を置いた編集レイアウト装置や、編集データから商品小組部分を切り出して商品小組ファイルとする手段を備えたレイアウトデザイン装置が提案されている（例えば特許文献１）。
【特許文献１】特許２０００−２０５７８号公報
【０００４】
特許文献１のレイアウトデザイン装置では、一度作成した商品小組を再利用することを狙いとした前記商品小組ファイルを作成する手段は、版面上のどの領域を占めるかについてあらかじめ版面上に定義されたブロックに対応づけて配置された各商品小組のデータをそれぞれファイル出力する構成をとるので、そのようなレイアウトデザイン方法をとらないレイアウト装置で作成された編集データには利用できない。
【０００５】
一般の市販ＤＴＰソフトウエアを用いて作成された印刷製版データは、ＤＴＰ編集ソフトウエアのネイティヴデータの形態をとる。すなわち、ＤＴＰ編集ソフトウエア固有の体系により定義された文字フォントや図形要素、画像等のオブジェクトの集合である。したがって、商品カタログ等の完成した印刷製版データから、商品小組毎にデータを切り出して、商品単位で印刷製版データを管理する場合は、文字図形等のオブジェクトから、商品小組に該当する部分であるか否かを、どのようなＤＴＰ編集ソフトウエアであってもそのネイティヴデータに必ず保持しているような基本的な属性を手がかりにして判断する方法をとる必要がある。そして、紙媒体に再利用する場合は、データ形式はＤＴＰ編集ソフトウエアのネイティヴデータのままでよい。
【０００６】
さらに、そのように切り出したデータをＷｅｂページやＣＤ−ＲＯＭの内容として再利用するには、それらのネイティブデータの一部を画素データの集まりとしての画像データとして扱うか、またはＰＤＦ（登録商標）データとして再利用するということになる。前者の場合、従来は、印刷製版データをＲＩＰ処理（ラスター化）し、画像データとした後に、画像編集ソフトウエアを用いて商品単位の範囲を指定し、切り出した画像を新規データとして保存することで処理する方法がとられていた
【０００７】
図１１は、この工程を模式的に説明した図である。ＤＴＰ編集ソフトウエアにより編集し完成したＤＴＰドキュメントは、実態はＤＴＰ編集ソフトウエアのネイティヴデータである。（ＤＴＰ編集ソフトウエアで作成されたファイルをしばしばＤＴＰドキュメントという。）このＤＴＰドキュメントは、PostScript（登録商標、以下「ＰＳ」と記す）形式で出力して、ＲＩＰ処理を実行するプログラム（一般にソフトウエアＲＩＰと呼称される）にかけてビットマップ画像データとする。このビットマップ画像データのファイル形式としてはＴｉｆｆ形式などが使用されることが多い。このＴｉｆｆ形式画像データをPhotoshop（登録商標）などの画像編集ソフトで開いて、再利用する部分ごとに手作業で切り出しし、これを新規画像ファイルとして保存する。従って、従来工程では、ＲＩＰ処理後はすべて手作業で行なうことになる。
【発明の開示】
【発明が解決しようとする課題】
【０００８】
図１１に示した従来工程では、ＲＩＰ処理後は、画像編集ソフトの起動、切り出し範囲の選択および指定、新規画像ファイルとしての保存など、すべて手作業で行なうことになるため、処理能力の面で限界があった。本発明はこのような従来工程の問題を考慮してなされたものであって、ＤＴＰドキュメントをデジタル製版データの再利用をより効率的に行なうためのＤＴＰ編集装置を提供することを課題とする。
【課題を解決するための手段】
【０００９】
請求項１に記載の発明は、ＤＴＰ編集ソフトウエアにより編集作成されたデータファイルに対して、版面上の領域を１つ以上指定する領域指定手段と、指定された領域との位置関係に基づいて、前記データファイルに含まれるオブジェクトを抽出して、抽出基準となった領域ごとに別ファイルとして出力する切り出し手段と、を備えたＤＴＰ編集装置である。
【００１０】
版面とは、ＤＴＰ編集ソフトウエアにより編集作成されたデータにおいて定義される座標系上に設定された印刷データの有効領域である。商品カタログ等のＤＴＰデータに対して、前記領域指定手段により商品スペックを表示する部分ごとにそれらを囲む領域を設定すれば、商品ごとに分割されたデータファイルが自動的に得られる。
【００１１】
請求項２に記載の発明は、出力ファイルがＥＰＳファイルであることを特徴とする請求項１に記載のＤＴＰ編集装置である。ＤＴＰ編集ソフトウエアのネイティヴデータ形式で出力ファイルを作成しても、他の処理プログラムではファイルを開けないので意味がない。出力ファイルの格納されたデータは、後の様々な再利用を可能とするために、画像処理ソフトウエアで扱えたり、ＲＩＰ処理ソフトウエアが読込める形式である必要がある。そのためにはＥＰＳファイル（Encapsulated Postscript File）の形式で出力するのが最も都合がよい。
【００１２】
請求項３に記載の発明は、指定した版面上の領域により、データファイルに含まれるオブジェクトを抽出する際の、抽出基準として下記３通りのモードを選択することが可能であることを特徴とする請求項１に記載のＤＴＰ編集装置である。
（１）設定した版面上の領域に完全に含まれるオブジェクトだけを抽出するモード
（２）設定した版面上の領域と重なりのあるオブジェクトをすべて抽出するモード
（３）設定した版面上の領域に完全に含まれるオブジェクトと、設定した版面上の領域と      重なりのあるオブジェクトについて、その重なり部分を切り取って抽出するモード      
【００１３】
前記領域指定手段が指定する版面上の領域は、ＤＴＰ編集ソフトウエアにより編集作成されたデータを切り出すために指定するのであるから、版面上の領域を特定する図形に対して、編集データがその領域内に位置するかどうかの判定基準を決める必要がある。しかしながら、指定する領域は、通常、座標計算のしやすさ等から長方形などの単純な図形を採用するため、編集データを切り出す基準は一通りではなく、何通りか用意しておいたほうが利用者は操作がしやすい。このような考えから、請求項３に記載の発明は、抽出基準として上記（１）のモード（完全包囲モード）、同（２）のモード（図形基準モード）、同（３）のモード（ボックス基準モード）を設けたものである。
【００１４】
請求項４に記載の発明は、抽出したオブジェクトデータを別ファイルとして出力する際の出力ファイルのファイル名の一部として使用するキーコード文字列を、抽出したオブジェクトデータから抽出するための条件を設定する手段を備えていることを特徴とする請求項１に記載のＤＴＰ編集装置である。 請求項４に記載のＤＴＰ編集装置によれば、例えば、商品カタログのＤＴＰ編集データを処理する場合では、それぞれの商品スペックのテキストデータの中から商品型番を表す文字列を抽出して、それをファイル名とする出力ファイルを出力できるので、後処理をスムーズに進めることができる。
【００１５】
請求項５に記載の発明は、ＤＴＰ編集ソフトウエアにプラグインとして組み込んで使用するコンピュータプログラムであって、前記ＤＴＰ編集ソフトウエアをインストールしたコンピュータを請求項１から請求項４に記載のＤＴＰ編集装置として動作させる一連の命令を記述したコンピュータプログラムである。ここでＤＴＰ編集ソフトウエアにプラグインとして組み込んで使用するプログラムとは、ＤＴＰ編集ソフトウエアのメニューコマンドから呼び出されるプログラムであって、ＤＴＰ編集ソフトウエアが起動中に扱うコンピュータ資源の一部を共有して扱うことができるコンピュータプログラムのことである。
【発明の効果】
【００１６】
本発明のＤＴＰ編集装置を用いれば、印刷製版データからの領域指定作業、ならびにデータ切り出し作業を簡易に一括で行うことが可能となるので、従来の作業方法に比べて、この作業を極めて簡単に行うことができ顕著な効果を奏することができる。具体的には、本発明のＤＴＰ編集装置を用いれば、図１５に示すような処理工程を実現することができる。すなわち、作業者は、ＤＴＰ編集装置上で、ＤＴＰドキュメントに対して一括領域指定およびこの領域指定に従った一括切り出しを行い、結果を商品小組ごとのＥＰＳファイルとして得る。そして得られた各ＥＰＳファイルをＲＩＰ処理すれば、商品小組データをＴｉｆｆ画像データで得ることができる。図１５に示した処理工程では、個々のＥＰＳファイルを読込んで画像データに変換する処理は、バッチ処理化することができるので、従来方法と比べて処理能率が格段に向上する。
【発明を実施するための最良の形態】
【００１７】
図１は本発明の一実施形態であるＤＴＰ編集装置１の構成を示すブロック図である。１０は、グラフィックディスプレイ１１、キーボードおよびマウス１２、ハードディスク２０が接続されたコンピュータ本体である。コンピュータ本体１０には、編集レイアウトソフトウエア１００、ボックス属性設定手段１１０、領域設定手段１２０、データ切り出し手段１３０が備えられている。
【００１８】
ボックス属性設定手段１１０、領域設定手段１２０、データ切り出し手段１３０は、それぞれ、編集レイアウトソフト１００に組込まれたソフトウエアモジュールの形でコンピュータ本体１０にインストールされており、編集レイアウトソフト１００のメニューから呼出されることにより動作する。編集レイアウトソフト１００のメニューから呼出されると、ボックス属性設定手段１１０、領域設定手段１２０、データ切り出し手段１３０は、編集レイアウトソフト１００が使用中のコンピュータ資源の一部を共有する。すなわち、編集レイアウトソフト１００が開いているファイルや、一時的に格納しているデータのうちの一部にアクセスし、内容を参照し、更新することができる。
【００１９】
２０１は印刷製版データファイルである。印刷製版データファイル２０１は切り出し処理の切り出し対象となるデータである。２０２は抽出領域設定ファイルである。抽出領域設定ファイル２０２の役割については後述する。これらはいずれもハードディスク２０に記録されている。３００は切り出しを行った結果作成される切り出しデータファイルである。やはりハードディスク２０に記録されることになる。
【００２０】
図２は本発明の装置による印刷製版データからの領域設定ならびにデータ切り出しの作業フローを示す流れ図である。以下この流れに沿って説明してゆく。
【００２１】
まずステップＳ１で、一括で領域を指定する場合の、ボックスの属性を決定する。ボックスの属性には、領域設定ボックスの見た目（色、枠線の太さ）の設定と、領域設定ボックスの切り出しモードの設定の２種類がある。
【００２２】
切り出しモードにはモード１：完全包囲、モード２：図形基準、モード３：ボックス基準の３種類がある。図５は、この３種類のモードを説明する図である。完全包囲モードは、領域設定用ボックスが定める矩形の領域の内部に位置する（矩形領域に完全に包囲されている）オブジェクトが切り出し対象となる。これに対し、図形基準モードでは、領域設定用ボックスが定める矩形の領域と重なりを有するオブジェクトはすべて切り出し対象となる。また、ボックス基準モードでは、オブジェクト単位で切り出すのではなく、領域設定用ボックスが定める矩形の領域内に存在する図形データの矩形内におさまる部分のみが切り出し対象となる。
【００２３】
図３は、ステップＳ１で使用する領域設定ボックスの属性設定ダイアログボックス３００である。３０１は切り出しモードを指定するスイッチである。３０２はモード１の切り出しモードで使用される領域設定ボックスの見た目（矩形の枠線の幅、枠線の色）を指定するインターフェイスである。３０３はモード２の切り出しモードで使用される領域設定ボックスの見た目（矩形の枠線の幅、枠線の色）を指定するインターフェイスである。３０４はモード３の切り出しモードで使用される領域設定ボックスの見た目（矩形の枠線の幅、枠線の色）を指定するインターフェイスである。３０５はグループ領域指定ボックスの見た目（矩形の枠線の幅、枠線の色）を指定するインターフェイスである。グループ領域指定ボックスは、オブジェクトのグループ化を指定するときに使用する。
【００２４】
図４は、ボックス作成時のサイズの増減を指定するダイアログボックス４００である。切り出し領域を設定する矩形（ユーザボックスと呼ぶ）の自動生成時に、設定した上、下、左、右のサイズ分、もしくは上下、左右の割合分、拡大または縮小してユーザボックスを作成する。
【００２５】
図２のフローに戻る。ボックスの属性をステップＳ１で設定した後は、キーコードを設定する（Ｓ２）。キーコードとは、切り出したデータを画像ファイルとして自動保存する場合のファイル名を決定するためのキーとなるデータのことである。通常、切り出されるオブジェクトは特定の商品のスペックが組版されたデータである場合が多いため、商品型番や商品名をファイル名とすれば後の作業がしやすい。そこで、文字組版されたデータから商品型番や商品名を抽出できるように指定する。具体的には、抽出したオブジェクトに含まれる文字組版データから、文字数（何文字以上何文字以下）、文字種（英字か数字か漢字かなど）、書体、文字サイズ、文字の色、文字飾りの指定に合致した部分をキーコードとして抽出する。図６は、キーコードを設定するダイアログボックス６００である。キーコード設定をすると、領域設定ボックスを対象データが表示されている版面上の特定の位置に作成した時に、ボックスの切り出しモードに対応して切り出し対象となる文字組版データおよびその属性を検査して、該当する文字列を特定して、キーコードを抽出する。キーコードは１種類とは限らない。２種類抽出してそれらをつなぎ合わせて１つのキーコードとすることもできる。図７はキーコードの書き出し設定を行なうダイアログボックス７００である。書き出し設定をすると、領域設定用ボックス作成時に、キーコード１とキーコード２をつなげたコードをキーコードとしてボックス内に書き出す。尚、キーコードを抽出する際の抽出条件の設定内容については、同一出願人より出願されている特開２０００−２９８７５号公報に詳細に記載されている。
【００２６】
ステップＳ１〜Ｓ２の後、ステップＳ３で、領域設定用ボックスを作成する。作成する方法は個別作成、もしくは一括作成の二つがある。個別作成の場合は、編集レイアウトソフト１００の画面上に現れる図８のメニュー上で、下端の３つのメニューアイコン８０１，８０２，８０３を指定し、印刷製版データ上に領域設定用ボックスの作成を行う。メニューアイコンに表示されている数字がそれぞれの切り出しのモードを示している。８０１〜８０３のメニューアイコンを選択することによって現れる領域設定用ボックスにより設定された領域に対して、図５に示した３つのモードの関係によって、切り出されるオブジェクトが指定される。
【００２７】
一括の場合は、表示されている製版データに対してある領域を指定する。すると指定された領域内に位置するグループ化されているオブジェクトがすべて選択され、それぞれのグループ化オブジェクトの単位で、個別に領域設定用ボックスにより切り出したいオブジェクトを選択した状態と同じ状態となる。オブジェクトのグループ化は、ＤＴＰ編集作業の段階で編集作業の一環として行なってもよいし、図２のフローチャートに示すように、事前にステップＳ５，Ｓ６において行なってもよい。すなわち、ステップＳ５で、図８のメニューの最下端のグループ設定用アイコン８０４を指定し、印刷製版データ上にグループ設定用ボックスを表示させる。次に、ステップＳ６で、グループ設定用ボックスで選択されるオブジェクトを１つのグループとする。
【００２８】
図９は、モードの一括変更を指定するダイアログボックスである。印刷製版データ上に作成済みの領域設定用ボックスのモードを一括で変更することができる。また、グループ設定用ボックス、領域設定用ボックスを作成後、ボックスの表示、非表示を切替えることができる。これにより、印刷製版データ上の、グループ化、または領域設定から漏れてしまったオブジェクトを簡単に発見することができる。
【００２９】
図１０は、領域設定用ボックスの一括削除を指定するダイアログボックス９２０である。一括削除を実行すると印刷製版データ上に作成済みの領域設定用ボックスを、指定した範囲（選択、ページ指定、全ページ）で削除することができる。また、あわせてステップＳ４で作成したグループ設定用ボックスも削除することができる。
【００３０】
図２のフローに戻る。ステップＳ３の後、ステップＳ４で領域設定用ボックスに基づき、データの切り出しを実行する。切り出しデータのファイル名は、ステップＳ２で設定したキーコードを使用して作成する。キーコードがない場合は、元の印刷製版データのファイル名と連番によりファイル名を作成する。また、領域設定ファイルとして作成した領域の情報をテキストデータとして保存することができる。
【００３１】
次に、領域設定手段１２０をどのように実現できるかを説明する。図１３は、領域設定手段１２０の動作を説明するフローチャートである。領域設定手段１２０はコマンドメニュー８００から、８０１〜８０４のコマンドアイコンを選択することによって呼び出される。まず、ボックス属性設定テーブルの内容を参照して（Ｓ４０）、どのメニューアイコンにより呼び出されたか、にしたがって、枠線の太さと色を決める（Ｓ４２）。そして、作業者が対角の２点をポイントする座標をボックス位置の情報として受付ける（Ｓ４４）。この時ボックス枠をＳ４２で確認した色、枠線の太さで表示する。次にボックスを特定するボックスＩＤを割り当てる（Ｓ４６）。ボックスＩＤ、ボックス属性（抽出属性又はグループボックスの区別）、版面座標に換算した位置情報を、表示中のボックスの情報として領域設定テーブルに記録する（Ｓ４８）。引き続きボックスを設定する場合はＳ４４にもどる。作業者はステップＳ４４〜Ｓ４８を繰り返して、必要なだけ領域設定を行なうことができる。領域設定結果は、切り出し手段１３０も参照できる記憶領域である領域設定テーブルに、ボックスＩＤ，ボックス属性、位置情報を１つのボックスの記録として、設定した領域数分記録される。図１４は領域設定テーブルの一例を概念的に示したものである。実際には、図１４の内容を数値データで記録してもよい。
【００３２】
領域設定テーブルは、それ自体を領域設定ファイル２０２として保存しておくことができる。商品カタログ等でページレイアウトが定形のものを処理する場合には、一度使用した領域設定テーブルを領域設定ファイル２０２に保存して流用可能としておけば、他のページを処理するときに領域設定ファイル２０２を呼び出すことにより領域設定を行なう手間を省くことができ作業の効率化が図れる。
【００３３】
次にデータ切り出し手段１３０がどのように実現できるかを説明する。図１２は、データ切り出し手段１３０の動作を説明するフローチャートである。以下  データ切り出し手段１３０の動作を説明する。
【００３４】
まずボックスＩＤのカウンタを１とする（Ｓ１０）。次にボックスＩＤで示されるボックスの抽出属性、位置情報を、図１４に示した領域設定テーブルの該当するボックスＩＤの箇所を参照して取得する（Ｓ１２）。このとき、該当するボックスＩＤがなく取得できなかった場合は、すべてのボックスＩＤについて処理が終了したとして切り出し処理を終了する（Ｓ１４）。
【００３５】
次に、ボックスの抽出属性、位置情報を取得できた場合は、抽出属性をチェックして、グループボックスである場合はステップＳ３０に飛ぶ。そうでない場合はステップＳ１８に進む（Ｓ１６）。以下ステップＳ１８に進んだ場合を先に説明する。まず、ボックスＩＤで示されるボックスの抽出属性（モード１、モード２またはモード３のいずれか）、およびボックスＩＤで示されるボックスの位置情報に基づいて製版データ中のオブジェクトの位置属性を調べて、切り出しに該当するオブジェクトを選択する（Ｓ１８）。このステップにおける切り出しの判断については図５に説明したとおりである。次に、設定されているキーコード情報に基づき、切り出したオブジェクトの中のテキストデータオブジェクトを検査して、キーコードを作成する（Ｓ２０）。そしてキーコードからファイル名を生成して、選択したオブジェクトデータを内容とし、キーコードから作成された文字列をファイル名とするＥＰＳファイルを作成する（Ｓ２２）。ボックスＩＤをインクリメントして、ステップＳ１２に戻る（Ｓ２４）。
【００３６】
ステップＳ３０にジャンプした場合は、ボックスＩＤで示されるボックスの領域内に包含されるオブジェクトのグループを探索する（Ｓ３０）。そのようなグループが１つ見つけられた場合は、設定されているキーコード情報に基づき、発見したグループに属するオブジェクトの中のテキストデータオブジェクトを検査して、キーコードを作成する（Ｓ３２）。そしてキーコードからファイル名を生成して、発見したグループに属するオブジェクトデータを内容とし、キーコードから作成された文字列をファイル名とするＥＰＳファイルを作成する（Ｓ３４）。ボックスＩＤで示されるボックスの領域内に包含される他のオブジェクトのグループがあればステップＳ３０に戻る、他のグループがなければ、すべてのグループについてグループごとに出力ＥＰＳファイルを出力できたとしてステップＳ２４に進む。
【００３７】
結局切り出し処理手段１３０は、領域設定テーブルに記録されているボックスごとに、それがモード１〜３の属性を持つ場合は、Ｓ１８〜Ｓ２２の手順で、該当するオブジェクトを1つのＥＰＳファイルにして書き出し、グループボックスの場合は、Ｓ３０〜Ｓ３６の手順で、ボックスに包含される個々のグループに属するオブジェクトの単位で、それぞれＥＰＳファイルにして切り出しデータファイル３００として書き出す。このようにして、切り出し処理が実現される。
【００３８】
ボックス属性設定手段１１０は、ダイアログボックス３００，４００，６００，７００、９００，９２０を、編集レイアウトソフト１００のプルダウンメニュー等から呼び出して、ダイアログボックスの指定に従って領域設定ボックスの属性およびキーコード設定を行う働きをする。編集レイアウトソフト１００のプラグインソフトウエア作成規約に従って作成すればよい。
【００３９】
以上、本発明の最良の実施形態にかかるＤＴＰ編集装置を説明した。本発明のＤＴＰ編集装置を用いれば、図１５に示すような処理工程を実現することができる。すなわち、作業者は、ＤＴＰ編集装置上で、ＤＴＰドキュメントに対して一括領域指定およびこの領域指定に従った一括切り出しを行い、結果を商品小組ごとのＥＰＳファイルとして得る。そして得られた各ＥＰＳファイルをＲＩＰ処理すれば、商品小組データをＴｉｆｆ画像データで得ることができる。図１５に示した処理工程では、個々のＥＰＳファイルを読込んで画像データに変換する処理は、バッチ処理化することができるので、従来方法と比べて処理能率が格段に向上する。
【００４０】
尚、上記実施形態では、編集レイアウトソフトが先にあり、プラグインソフトを付加してＤＴＰ編集装置１を構成するものとして説明したが、本発明の趣旨は必ずしもそのような形態に限定されるものではない。
【図面の簡単な説明】
【００４１】
【図１】本発明の一実施形態であるＤＴＰ編集装置１の構成を示すブロック図である。
【図２】本発明の装置による印刷製版データからの領域設定ならびにデータ切り出しの作業フローを示す流れ図である。
【図３】ステップＳ１で使用する領域設定ボックスの属性設定ダイアログボックス３００である。
【図４】ボックス作成時のサイズの増減を指定するダイアログボックス４００である。
【図５】切り出しモードを説明する図である。
【図６】キーコードを設定するダイアログボックス６００である。
【図７】キーコードの書き出し設定を行なうダイアログボックス７００である。
【図８】編集レイアウトソフト１００の画面上に現れるメニューアイコンである。
【図９】モードの一括変更を指定するダイアログボックスである。
【図１０】領域設定用ボックスの一括削除を指定するダイアログボックス９２０である。
【図１１】従来工程の説明図である。
【図１２】データ切り出し手段１３０の動作を説明するフローチャートである。
【図１３】領域設定手段１２０の動作を説明するフローチャートである。
【図１４】領域設定テーブルの一例を概念的に示したものである
【図１５】本発明の一実施形態であるＤＴＰ編集装置１を利用した工程の説明図である。
【符号の説明】
【００４２】
１    ＤＴＰ編集装置
１０  コンピュータ本体
１１  モニタディスプレイ
１２  キーボード
２０  ハードディスク
１００  編集レイアウトソフト
１１０  ボックス属性設定手段
１２０  領域設定手段
１３０  データ切り出し手段
２０１  印刷製版データ
２０２  領域設定ファイル
３００  切り出しデータ
【図１】
2005165985.tif 000003
【図２】
2005165985.tif 000004
【図３】
2005165985.tif 000005
【図４】
2005165985.tif 000006
【図５】
2005165985.tif 000007
【図６】
2005165985.tif 000008
【図７】
2005165985.tif 000009
【図８】
2005165985.tif 000010
【図９】
2005165985.tif 000011
【図１０】
2005165985.tif 000012
【図１１】
2005165985.tif 000013
【図１２】
2005165985.tif 000014
【図１３】
2005165985.tif 000015
【図１４】
2005165985.tif 000016
【図１５】
2005165985.tif 000017